(57)【要約】【課題】吸盤を被吸着面に密着させた状態で吸盤中央部分を引き上げて強制的に真空状態を作り出す際に、吸盤と被吸着面との密着度を向上させると共に、非吸着面が凸状に湾曲している場合でも確実に吸着できるスタンド装置を提供する。【解決手段】吸盤２０１は、弾性材で形成されており、上面中央に吸盤用支持軸２０２が垂立され、スタンドカバー３０１には中央に吸盤用支持軸２０２が弾性体４０１を介して連結する連結用柱３０２を設け、吸盤用支持軸２０２には支軸４０３が遊嵌して移動可能な長穴状貫通孔２０４を形成し、支軸４０３にはこれを上方に移動させてロックする吸引ロック機構４０４を連結させ、吸盤用支持軸２０２でもって吸盤２０１の中央部分を被吸着面に押し付けた後に引き上げてロックするように構成した。【選択図】図２
2011047445.tif 000002
【特許請求の範囲】
【請求項１】
設置箇所に吸着される吸着部と、該吸着部と一体に連結されたスタンドと、該吸着部の設置箇所への吸着状態を着脱自在に制御する操作部とからなる、装着体を装着するスタンド装置であって、
前記吸着部は、弾性材で形成された吸着面を有する吸盤と、該吸盤の上面中央に垂立された支持軸と、該支持軸の中心軸と直行する方向に貫通した貫通孔とからなり、
前記スタンドは、前記吸着部を収納し外周の下縁を前記吸盤の最外周面に対抗させて形成したスタンドカバーと、該スタンドカバーの中央頂部に設けられた連結用柱と、該連結用柱内に形成された前記支持軸を遊嵌する凹部とからなり、
前記操作部は、前記支持軸の頂面と前記凹部の底部との間に介挿された弾性体と、前記連結用柱の前記貫通孔に対応する側壁に該貫通孔よりも大きく切り欠かれて形成された切り欠き部と、前記貫通孔に嵌通しその両端が前記切り欠き部を介して前記連結用柱の側面上に突出して設けられた支軸と、該支軸に回動自在に軸支され該支軸を上下方向に移動させて上端でロックするカムを有する吸引ロック機構と、からなり、
前記貫通孔は、前記支持軸の中心軸方向を長手方向とする長穴状に形成され、前記支軸が該長手方向に移動可能なように該貫通孔に遊嵌されていることを特徴とするスタンド装置。
【発明の詳細な説明】
【技術分野】
【０００１】
本発明は、設置箇所に吸着される吸盤からなる吸着部と、吸着部と一体に連結され電子機器などの装着体を装着するスタンドと、吸着部の設置箇所への吸着状態を着脱自在に制御する操作部とからなるスタンド装置に関し、特に、装着体を車両などに設置して使用する場合に適用されるスタンド装置に関するものである。
【背景技術】
【０００２】
近年、車載用電子機器として音響・映像再生装置機能やデジタル放送受信機能を内蔵したナビゲーション装置が普及している。これらの車載用電子機器は、装着体として車内のダッシュボードなどに着脱自在に取付けて設置したスタンド装置に装着されている。このスタンド装置は車載用電子機器の使用に適した箇所に設置でき、しかも車載用電子機器をスタンド装置から取外した携帯型として使用できるなどと極めて好都合なものである。
【０００３】
この種のスタンド装置としては、例えば、下記の特許文献１（特開２００８−２３２２５９号公報）に示す従来技術が提案されている。この従来のスタンド装置は、車内のダッシュボードなどの設置箇所に吸盤を用いて着脱自在に固定するものである。吸盤は平らな円盤状であって、吸盤中央に中心軸が突出して設けられている。また吸盤は円形の取付け台の下側に配置され、中心軸は取付け台の上方に突出している。そして、中心軸は取付け台の上部に設けた変位機構によって上下動されるように構成されている。
【０００４】
スタンド装置を設置箇所に設置する場合は、スタンド装置を押し下げて吸盤下面の吸着面と設置箇所の被吸着面との間を密着させる。このとき、吸盤の背面外周には取付け台の外周部分が当接している。その後の操作としては変位機構によって中心軸を上方に変位させる。この操作によって吸盤の中央部分は披吸着面から離れる方向に引き離される。その結果、吸着面と披吸着面との間は真空状態となり、披吸着面に対する吸盤の密着度が高められて安定した固定状態が得られる。
【０００５】
変位機構は、中心軸の上端寄りに設けた軸と、この軸を中心として回動するハンドルと、ハンドルと一体に設けたカムとから構成されている。そして、変位機構は、ハンドルを垂立させているときには、カムによって中心軸を下方に位置させ吸盤を平面状態としている。一方、変位機構は、ハンドルを回動させて水平にするとカムによって中心軸を上方に変位させ吸盤の中央部を吸引してその状態をロックするようになっている。
【０００６】
このような構成の従来のスタンド装置は、吸盤によって任意の箇所に着脱自在に固定される。そして、吸盤の吸着面と設置箇所の被吸着面との間に強制的に真空状態が作られて固定状態が確実に維持できる。一方、スタンド装置を設置箇所から離脱する場合は、ハンドルを元に戻すことにより比較的容易に吸着状態を解除することができる。
【先行技術文献】
【特許文献】
【０００７】
【特許文献１】特開２００８−２３２２５９号公報（段落００１２〜００１４、図９）
【発明の概要】
【発明が解決しようとする課題】
【０００８】
しかしながら、従来のスタンド装置においては、取付け台を押し下げて吸盤の周縁を設置箇所にある被吸着面に強く密着させているが、吸盤の中央部分は積極的に被吸着面に押し付けていない。そのため、吸盤の中央部分を引き上げる前にその部分の空気が確実に排除されず十分な真空状態が得られず確実に吸着できないという問題点があった。
【０００９】
また、従来のスタンド装置においては、平らな状態の吸盤の中央部分を上方に変位させて強制的に真空状態を形成しているため、設置箇所が凸状に湾曲している場合には、吸盤の吸着面を湾曲した被吸着面に沿わせて確実に密着させることが不可能であった。
【００１０】
また、吸盤は上方に引き上げられるときの変位量を十分にとることが不可能であった。そのため、吸盤と被吸着面との間には十分な真空状態が得られず設置箇所に吸盤を強固に吸着することができない。特に、車両のダッシュボードなどのように、湾曲した面が多い場合には、平面部分が少ないので電子機器の配置箇所が大きく制限されてしまうという問題点があった。
【００１１】
したがって、本発明は、上記の問題点を解消することを課題とし、スタンド装置の設置箇所の制限を少なくすると共に確実に固定して、装着体である電子機器を多くの箇所に配置して使用できるスタンド装置を提供することを目的とするものである。
【課題を解決するための手段】
【００１２】
前記課題を解決するために、本願の請求項１に係るスタンド装置の発明は、
設置箇所に吸着される吸着部と、該吸着部と一体に連結されたスタンドと、該吸着部の設置箇所への吸着状態を着脱自在に制御する操作部とからなり、装着体を装着するスタンド装置であって、
前記吸着部は、弾性材で形成された吸着面を有する吸盤（例えば下記実施例では、吸盤２０１）と、該吸盤の上面中央に垂立された支持軸（例えば下記実施例では、吸盤用支軸２０２）と、該支持軸の中心軸と直行する方向に貫通した貫通孔（例えば下記実施例では、長穴状貫通孔２０４）とからなり、
前記スタンドは、前記吸着部を収納し外周の下縁を該吸盤の最外周面に対抗させて形成したスタンドカバー（例えば下記実施例では、スタンドカバー３０１）と、該スタンドカバーの中央頂部に設けられた連結用柱（例えば下記実施例では、連結用柱３０２）と、該連結用柱内に形成された前記支持軸を遊嵌する凹部（例えば下記実施例では、凹部３０３）とからなり、
前記操作部は、前記支持軸の頂面と前記凹部の底部との間に介挿された弾性体（例えば下記実施例では、弾性体４０１）と、前記連結用柱の該貫通孔に対応する側壁に該貫通孔よりも大きく切り欠かれて形成された切り欠き部（例えば下記実施例では、切り欠き部４０２）と、前記貫通孔に嵌通しその両端が該切り欠き部を介して該連結用柱の側面上に突出して設けられた支軸（例えば下記実施例では、支軸４０３）と、該支軸に回動自在に軸支され該支軸を上下方向に移動させて上端でロックするカムを有する吸引ロック機構（例えば下記実施例では、吸引ロック機構４０４）と、
からなり、前記貫通孔は、前記支持軸の中心軸方向を長手方向とする長穴状に形成され、前記支軸が該長手方向に移動可能なように該貫通孔に遊嵌されていることを特徴とする。
【発明の効果】
【００１３】
本発明のスタンド装置は、次に示すような優れた効果を奏する。
【００１４】
すなわち、請求項１に係る発明においては、吸盤の上面中央に吸盤用支持軸が垂立され、支持軸には該支持軸の中心軸と直行する方向に貫通し長手方向を該中心軸方向とする長穴状貫通孔が設けられている。スタンドは、外周の下縁を吸盤の最外周面に対抗させて形成したスタンドカバーと、スタンドカバーの中央頂部に設けられた連結用柱と、連結用柱内に形成された支持軸を遊嵌する凹部とからなる。そして、操作部は、支持軸の頂面と凹部の底部との間に介挿された弾性体と、連結用柱の長穴状貫通孔に対応する側壁に長穴状貫通孔よりも大きく切り欠かれて形成された切り欠き部と、長穴状貫通孔に遊嵌しその両端が切り欠き部を介して連結用柱の側面上に突出して設けられた支軸と、支軸に回動自在に軸支され該支軸を上下方向に移動させて上端でロックするカムを有する吸引ロック機構とからなる。
【００１５】
このような構成によれば、吸盤を被吸着面に密着させるために、スタンド装置が設置箇所に置かれた状態で連結用柱を押し下げ、弾性体を介して吸盤用支持軸を押し下げて吸盤の中央部分を押圧すると支軸が長穴状貫通孔の上端から下端まで移動する。そのため、連結用柱の押し下げの移動距離が増大する。その結果、弾性体の圧縮量は大きくなり吸盤の中央部分が被吸着面に強く押し付けられて密着の度合いを高める。同時に、スタンドカバーも下降するのでスタンドカバーの外周の下縁が吸盤の最外周縁を直接に押圧する。
【００１６】
従って、吸盤全体が被吸着面に強力に密着し空気の排除を確実に行うことができる。その後、操作部の吸引ロック機構でもってカムを回動させて支軸を上動させ、吸盤用支持軸をスタンドカバーと独立に上方に変位させ、吸盤中央部分を被吸着面から離すように引き上げてその状態をロックすることができる。すなわち、吸盤は中央部分も含めて全体的に被吸着面に確実に押し付けた状態で、中央部分が引き離されて真空状態が形成されるので、吸盤を被吸着面に強力に密着するスタンド装置が得られる。
【図面の簡単な説明】
【００１７】
【図１】本発明の一実施例に係るスタンド装置の斜視図であり、図１（ａ）はスタンド装置に携帯型ナビゲーション装置を取り付けた状態を前面から見た斜視図であり、図１（ｂ）はスタンド装置から操作部カバーを外した状態を背面から見た斜視図である。
【図２】図１におけるスタンド装置から連結アーム、被装着部、固定レバーなどを省き、吸引ロック機構を取り外した状態を示す斜視図である。
【図３】図１におけるスタンド装置から吸着部のみを取り出した状態を示す側面図である。
【図４】図１におけるスタンド装置から連結アームなどを省き、使用する前の状態を示す側面図である。
【図５】図４におけるスタンド装置をＡ−Ａ線で切断した断面図である。
【図６】図４におけるスタンド装置が設置箇所上で結合用柱を押し込んだ状態を示す側面図である。
【図７】図６におけるスタンド装置をＢ−Ｂ線で切断した断面図である。
【図８】図６におけるスタンド装置がレバーを回動して吸着を始めた状態を示す側面図である。
【図９】図８におけるスタンド装置をＣ−Ｃ線で切断した断面図である。
【図１０】図８おけるスタンド装置がレバーをさらに回動して吸着ロックされた状態を示す側面図である。
【図１１】図１０におけるスタンド装置をＤ−Ｄ線で切断した断面図である。
【図１２】図４におけるスタンド装置が凸状に湾曲している設置箇所上で結合用柱を押込んだ場合のＡ―Ａ線で切断した断面図である。
【図１３】本発明の一実施例における長穴状貫通孔２０４に代えて丸孔とした場合の比較例の説明図であり、図１３（ａ）は丸孔である場合の連結用柱３０２の頂面を押し込む前の状態を示し、図１３（ｂ）は押し込み後の状態を示している。
【図１４】本発明の一実施例に係るスタンド装置の動作を説明するための説明図であり、図１４（ａ）は本発明の一実施例に適用された長穴状貫通孔である場合の押し込む前の状態を示し、図１４（ｂ）は押し込み途中の状態を示し、図１４（ｃ）は押し込み後の状態を示している。
【発明を実施するための形態】
【００１８】
以下、本発明の具体例を実施例および図面を用いて詳細に説明する。但し、以下に示す実施例は、本発明の技術的思想を具体化するためのスタンド装置を例示するものであって、本発明をこのスタンド装置に特定することを意図するものでなく、特許請求の範囲に含まれるその他の実施形態のスタンド装置にも等しく適用し得るものである。
【実施例】
【００１９】
図１は、本発明の一実施例に係るスタンド装置の斜視図であり、図１（ａ）はスタンド装置に携帯型ナビゲーション装置を取り付けた状態を前面から見た斜視図であり、図１（ｂ）はスタンド装置から操作部カバーを外した状態を背面から見た斜視図である。
【００２０】
本実施例に係るスタンド装置１０は、図１で示すように、装着体である電子機器の携帯型ナビゲーション装置５０を車両に搭載するために用いられるものであり、設置箇所に吸盤によって吸着される吸着部２０と、吸着部２０と一体に連結されるスタンド３０と、吸着部２０の設置箇所への吸着を着脱自在に制御する操作部４０とで構成されている。
【００２１】
携帯型ナビゲーション装置５０は、扁平で矩形の筐体５０１と、筐体５０１の前面にタッチパネル式の表示操作面５０２と、筐体５０１の背面中央部に設けられたスタンド装置１０を装着するための装着部（図示せず）とを備え、筐体５０１内には、ナビゲーション機能、音響・映像再生機能、デジタル放送受信機能、電池などが内蔵されている。携帯型ナビゲーション装置５０は、車両に搭載されたときには車両から電力供給を受けて使用され、車両外で携帯されたときには内蔵する電池から電力の供給を受けて使用される。
【００２２】
図２は、図１におけるスタンド装置から連結アーム、被装着部、固定レバーなどを省き、吸引ロック機構を取り外した状態を示す斜視図であり、図３は、図１におけるスタンド装置から吸着部のみを取り出した状態を示す側面図である。
【００２３】
吸着部２０は、図２、図３で示すように、円形の弾性材からなる吸盤２０１と、下端が吸盤２０１の上面の中央に固着され吸盤２０１の上方に向かって垂立して配された吸盤用支持軸２０２と、吸盤２０１の縁に取付けられた突出片２０３から構成されている。吸盤用支持軸２０２には、吸盤用支持軸２０２の中心軸と直行する方向に該中心軸方向を長手方向とする長穴状貫通孔２０４が穿設されている。この長穴状貫通孔２０４は後述する支軸４０３（図３の斜線部分）が長手方向に距離αだけ移動可能なように略長穴形状に形成されている。
【００２４】
スタンド３０は、図１〜図５で示すように、吸着部２０を収納する凸球面状のスタンドカバー３０１と、スタンドカバー３０１の中央頂部上面に設けられた連結用柱３０２と、連結用柱３０２に吸盤用支持軸２０２の上部分が遊嵌し吸着部２０とスタンド３０とを一体に連結するように形成された凹部３０３（図５参照）と、スタンドカバー３０１上面に設けられた取付け部３０４と、基部分が取付け部３０４に上下に回動可能に取付けられた連結アーム３０５と、連結アーム３０５の先端に設けられた携帯型ナビゲーション装置５０を着脱自在に装着する被装着部３０６と、取付け部３０４の一側面に設けられた連結アーム３０５の上下回動を固定するための固定レバー３０７と、から構成されている。そして、スタンドカバー３０１は、吸盤２０１と同様に円形状になっておりその外周の下縁３０８が吸盤２０１上面の最外周面２０５に対抗するよう形成されている。
【００２５】
操作部４０は、図２、図５で示すように、吸盤用支持軸２０２の頂面と凹部３０３の底部との間に介挿されたコイルバネからなる弾性体４０１と、吸盤用支持軸２０２に穿設された長穴状貫通孔２０４に対応する連結用柱３０２の側壁に上下方向に大きく切り欠かれて形成された切り欠き部４０２と、長穴状貫通孔２０４に遊嵌してその両端を切り欠き部４０２を介して連結用柱３０２の側面上に突出して設けられた支軸４０３と、支軸４０３に結合された吸引ロック機構４０４とから構成されている。なお、操作部４０は、図１（ａ）で示すように、着脱可能な操作部カバー４０９によって覆われている。
【００２６】
吸引ロック機構４０４は、支軸４０３に回動自在に軸支して結合されたカム４０５と、カム４０５を回動するためのレバー４０６とから構成されている。図８、図１０で示すように、図６で示すレバー４０６が垂立した状態から矢印Ｘで示す方向に回動させると、図１０、図１１で示すように、カム４０５がスタンドカバー３０１の上面３０９に当って支軸４０３を上方に変位させるようになっている。そして、カム４０５は最も突出した頂部４０７が上面３０９に当たった状態で平坦周辺部４０８が上面３０９に当接する位置まで回動されてその位置でロックするようになっている。
【００２７】
ロック状態にある吸引ロック機構４０４は、図１０及び図１１で示すように、支軸４０３が長穴状貫通孔２０４の上端に当って吸盤用支持軸２０２を上方に大きく変位させ、吸盤２０１の中央部分を大きく吸引するようになっている。この状態において、カム４０５は頂部４０７が上面３０９を通過し、平坦周辺部４０８が上面３０９に当接した回動位置にあり、弾性体４０１の弾発力によってロック機能を達成するようになっている。
【００２８】
次に、上述した本実施例のスタンド装置１０の設置方法について説明する。この設置に際しては、操作部４０によって行われる２つの操作手順を踏む。
【００２９】
最初の操作手順は、図４、図５で示すスタンド装置１０を設置すべき箇所に置き、連結用柱３０２の頂面を矢印Ｙで示す方向に押してスタンドカバー３０１を被吸着面（設置面）方向に変位させる。その結果、図６で示すように、スタンドカバー３０１周縁の下縁３０８が吸盤２０１上面の最外周面２０５に当接する。同時に、図７で示すように、弾性体４０１を形成するスプリングは、連結用柱３０２を押し下げることにより圧縮されてその弾発力でもって吸盤用支持軸２０２を押し下げる。そのため、吸盤２０１の中央部分が被吸着面に密着してその部分の空気を排除すると共に、吸盤２０１の周縁の下面が被吸着面に強く密着される。
【００３０】
なお、図４、図５では、連結用柱３０２を押し下げる動作、及び、吸盤２０１の中央部分が被吸着面に密着してその部分の空気を排除する動作について、説明を分かり易くするためにスタンドカバー３０１周縁の下縁３０８と吸盤２０１上面の最外周面２０５とが大きく開いた状態で図示しているが、実際のスタンド装置１０では見た目上、ここまでスタンドカバー３０１周縁の下縁３０８と吸盤２０１上面の最外周面２０５とが大きく開いたものではない。
【００３１】
次の操作手順は、図８、図１０で示すように、連結用柱３０２を押し下げた状態で、レバー４０６を矢印Ｘで示す方向に押し下げてカム４０５を回動させ、カム４０５の最も突出した頂部４０７をスタンドカバー３０１の上面３０９を通過させる。その結果、図９、図１１で示すように、カム４０５の回動中心の支軸４０３が長穴状貫通孔２０４内を上方に変位して上端に当たって吸盤用支持軸２０２を上方に大きく変位させる。従って、吸盤２０１の中央部分が被装着面から離れる方向に強制的に変位される。そして、図１０で示すように、ロック機構４０４はレバー４０６を最大に回動させ、平坦周辺部４０８を上面３０９に当接させた位置においてロックされる。
【００３２】
このとき、支軸４０３は大きく切り欠かれた切り欠き部４０２を通して連結用柱３０２の側面に突出し、吸引ロック機構４０４を構成するカム４０５によって軸支されているので、支軸４０３の上下の動作がカム４０５の回動に応じて長穴状貫通孔２０４内において連結用柱３０２の上下する位置に制限されることなく独立に行われる。
【００３３】
このような操作手順を経過した状態では、吸盤２０１の中央部分と設置箇所の被吸着面との間が真空状態とされ、吸盤２０１の被吸着面に対する密着度が高められる。そして、この状態は吸盤２０１の周縁がスタンドカバー３０１によって被吸着面に強く押し付けられているので、真空状態が永久的に維持される。その結果、スタンド装置１０は所望の設置箇所に固定して設置され携帯型ナビゲーション５０を装着することができる。
【００３４】
スタンド装置１０を設置箇所から離脱させる場合は、レバー４０６を矢印Ｘと反対方向に回動させ、カム４０５の頂部４０７が上面３０９を通過して元の位置に戻るように操作する。その結果、ロック状態が解除されるので、吸盤用支持軸２０２は上方への変位状態が解除される。そして、吸盤２０１の中央部分は吸引されている状態から解除される。ロック解除と同時に、連結用柱３０２は弾性体４０１の弾発力によって上昇する。そして、スタンドカバーも上昇して下縁３０８は吸盤２０１の最外周面２０５から離れる。その後は、突出片２０３を持って吸盤２０１を被吸着面から引き剥がすことにより、スタンド装置１０を設置箇所から取外すことができる。
【００３５】
図示されていないが設置箇所の被吸着面が凸状に湾曲いている場合でも、図１２で示すように、最初の操作手順による連結用柱３０２の頂面を矢印Ｙで示す方向に押してスタンドカバー３０１を設置面方向に変位させると、この押し込み操作により発生する弾性体４０１の弾発力が吸盤用支持軸２０２に伝達される。同時に、スタンドカバー３０１の下縁３０８が吸盤２０１上面の最外周面２０５に当接する。
【００３６】
従って、吸盤２０１は凸状に湾曲している被吸着面に密着してその部分の空気を排除すると共に、吸盤２０１の周縁の下面が設置面に強く密着される。
【００３７】
次は、連結用柱３０２を押し込んだ状態で、レバー４０６を押し下げてカム４０５を回動させる操作を行う。その結果、カム４０５の回動中心の支軸４０３が長穴状貫通孔２０４内を上方に変位し上端に当たって吸盤用支持軸２０２を上方に変位させる。従って、吸盤２０１の中央部分が被装着面から離れる方向に強制的に変位され吸引状態となる。そして、吸引ロック機構４０４はレバー４０６を最大に回動させることによりロック状態となる。
【００３８】
このような操作部４０による操作手順を経過した状態では、図１１で示すように、吸盤２０１の中央部分と被装着面との間が真空状態とされ、吸盤２０１の被装着面に対する密着度が高められる。そして、この状態は吸盤２０１の周縁がスタンドカバー３０１によって装着面に強く押し付けられているので、真空状態が永久的に維持される。その結果、スタンド装置１０は凸状に湾曲する設置箇所に設置される。
【００３９】
次に、図１３、図１４に基づいて、支軸４０３が長穴状貫通孔２０４に遊嵌していることにより吸盤２０１の被吸着面への押し付け力が増大することを説明する。
【００４０】
図１３は、本発明の一実施例における長穴状貫通孔２０４に代えて丸孔とした場合の比較例の説明図であり、図１３（ａ）は丸孔である場合の連結用柱３０２の頂面を押し込む前の状態を示し、図１３（ｂ）は押し込み後の状態を示している。
【００４１】
図１３（ａ）で示す押し込む前の状態から図１３（ｂ）で示すように連結用柱３０２を例えば４ｍｍだけ押し込むと、吸盤用支持軸２０２は弾性体４０１が圧縮されることにより発生する弾発力によって下降する。ここで、説明の便宜上、上記４ｍｍの変位量は、連結用柱３０２の押し込みによって一体的に降下するスタンドカバー３０１の下縁３０８と最外周面２０５との間の間隙をなくすことによって発生するものとし、吸盤２０１の底面に生じた凹んだ空隙部分が平面になるように変形したことによる影響は少ないものとして省略する。
【００４２】
図１３（ｂ）で示す押し込んだ状態においては、吸盤用支持軸２０２が押圧されることによって吸盤２０１の中央部分に発生する最大荷重Ｐ１は下式（１）のように表わされる。
【００４３】
Ｐ１＝Ｐ０＋４ｋ  ・・・（１）
ここで、Ｐ０は吸引量がゼロのときの弾性体４０１から発生する荷重である。ｋは弾性体４０１を構成するコイルバネのバネ定数である。
【００４４】
一方、図１４で示す本発明の一実施例の構成によれば、支軸４０３は長穴状貫通孔２０４を吸盤用支持軸２０２の軸に沿って距離αだけ移動可能になっている。図１４（ａ）は押し込む前の状態を示し、図１４（ｂ）は押し込み途中の状態を示し、図１４（ｃ）は押し込み完了後の状態を示している。
【００４５】
図１４（ａ）はスタンド装置１０が図４の状態にあるときであり、丸孔における図１３（ａ）の状態に対応する。このときは、支軸４０３は長穴状貫通孔２０４の上端に当接して位置している。この状態から押し込み操作を開始すると、図１４（ｂ）の状態を経由して図１４（ｃ）の状態に至る。
【００４６】
図１４（ｂ）は、丸孔における図１３（ｂ）の状態に対応する。このとき、支軸４０３はまだ長穴状貫通孔２０４の上端に位置している。そのため、更に連結用柱３０２を押し込むことが可能である。更に押し込み動作が進むと、支軸４０３は距離αだけ長穴状貫通孔２０４内を移動する。
【００４７】
その結果、図１４（ｃ）で示すように、支軸４０３は長穴状貫通孔２０４の下端に当接して停止する。そのため、弾性体４０１であるコイルバネは図１４（ｂ）の状態から更に圧縮され、より強く吸盤２０１の中央部分を押圧することになる。図１４（ｃ）で示す押し込み完了後の吸盤２０１の中央部分に対して発生する最大荷重Ｐ２は下式（２）のように表わされる。
【００４８】
Ｐ２＝Ｐ０＋（４＋α）ｋ  ・・・（２）
また、本発明の一実施例における吸引ロック機構４０４は支軸４０３が長穴状貫通孔２０４に遊嵌した構成としているが、この吸引ロック機構に着目してその動作を説明する。
【００４９】
スタンドカバー３０１は押し込みの操作によって連結用柱３０２と共に降下するので、カム４０５に当接する上面３０９も同様に降下する。図１３の丸孔の場合は、上面３０９が降下したとき、カム４０５はその支軸４０３が実質的に降下しない吸盤用支持軸２０２と一体になっているので変位しない。そのため、上面３０９の方だけが降下してカム４０５から離れてしまう。
【００５０】
その結果、カム４０５は回動自在になりレバー４０６がその自重によって図８などで示す矢印Ｘで示す方向に傾いてしまう。そのため、次の吸引のための操作においては、レバー４０６は既に回動が進んだ途中から回動されるので吸引量が少なくなってしまう。
【００５１】
これに対し、図１４で示す長穴状貫通孔２０４を用いた本発明の一実施例の構成によれば、支軸４０３は長穴状貫通孔２０４内を下降可能になっているので、上面３０９が降下してもこれに追従して降下する。すなわち、図１４（ｃ）で示すように、連結用柱３０２が大きく押し下げられて上面３０９を大きく降下させても支軸４０３は長穴状貫通孔２０４を降下するので上面３０９がカム４０５から離れない。
【００５２】
その結果、レバー４０６はカム４０５が初期の位置に止められているので不用に回動しない。そして、吸引ロックの際にはレバー４０６が初期の位置から操作して吸盤用支持軸２０２を変位して吸盤２０１を十分に吸引することができる。すなわち、吸引ロック機構４０４は安定した動作でもって確実な吸引動作を行いロックすることができる。
【００５３】
従って、上述した本発明の一実施例のスタンド装置１０によれば、吸盤２０１は、従来技術と異なり連結用柱３０２を押し下げることによって積極的に押圧されるので、設置箇所の被吸着面に強く密着して空気を確実に排除する。そのため、次の吸引操作により得られる真空状態が確実になり、吸盤２０１が被吸着面に強固に吸着される。
【００５４】
また、連結用柱３０２による矢印Ｙで示す方向への吸盤２０１の押し付けは、連結柱３０２の押し下げの変位量が長穴状貫通孔２０４によって距離αだけ増加する。そのため、コイルバネ４０１は丸穴の場合より距離α分だけ圧縮され、吸盤２０１に与える被吸着面への圧縮力が増大する。
【００５５】
この圧縮力の増大によって、吸盤２０１の被吸着面に対する密着力が増大する。一方、スタンドカバー３０１の下縁３０８の最外周面２０５に対する押圧力が増大する。そのため、吸盤２０１の外周部分の被吸着面に対する密着度が増大する。このような吸盤２０１の被吸着面に対する密着度の増大は、被吸着面との間の空隙を確実になくする。そして、次に操作部４０を操作して吸盤用支持軸２０２を上方に変位させると、密着度の増大によって吸着面と被吸着面との間に真空状態が確実に発生させることができる。
【００５６】
一方、設置箇所の被吸着面が凸状に湾曲いている場合でも、吸盤２０１が被吸着面に沿うように緩やかに凹状に変位するので、両者が密接に接して高い密着状態が維持され確実に真空状態を発生させることができる。
【００５７】
また、スタンド装置１０を長年使用することにより吸盤２０１の中央部分が凹んでしまった場合でも、この中央部分は積極的に押圧され大きく押し込まれるので、最終的には被吸着面との間に生じた間隙を吸収して被吸着面に密着させることができる。そのため、空気の排除は確実にできる。
【００５８】
また、吸引ロック機構４０４は、カム４０５が常にスタンドカバー３０１の上面３０９に当っているのでレバー４０６を初期の位置から不用に回動させてしまうことがない。そのため、レバー４０６の回動操作による吸盤２０１の吸引動作は確実に行われる。
【００５９】
なお、上記実施例においては、装着体としては携帯型ナビゲーション装置５０としたが、本発明はこれに限定されることなく携帯通信機器や携帯音楽再生装置、その他の各種電子機器などにも適用できる。
【００６０】
また、上記実施例においては、コイルスプリングからなる弾性体４０１を用いたが、本発明はこれに限定されることなく他の各種弾性部材を適用してもよい。
【００６１】
また、上記実施例においては、設置箇所は車両内としたが、本発明はこれに限定されることなくテーブルなどに設置する場合にも適当できる。
【符号の説明】
【００６２】
１０・・・・スタンド装置
２０・・・・吸着部
３０・・・・スタンド
４０・・・・操作部
５０・・・・携帯型ナビゲーション装置
２０１・・・吸盤
２０２・・・吸盤用支持軸
２０３・・・突出片
２０４・・・長穴状貫通孔
２０５・・・最外周面
３０１・・・スタンドカバー
３０２・・・連結用柱
３０３・・・凹部
３０４・・・取付け部
３０５・・・連結アーム
３０６・・・被装着部
３０７・・・固定レバー
３０８・・・下縁
３０９・・・上面
４０１・・・弾性体
４０２・・・切り欠き部
４０３・・・支軸
４０４・・・吸引ロック機構
４０５・・・カム
４０６・・・レバー
４０７・・・頂部
４０８・・・平坦周辺部
４０９・・・操作部カバー
５０１・・・筐体
５０２・・・表示操作面
【図１】
2011047445.tif 000003
【図２】
2011047445.tif 000004
【図３】
2011047445.tif 000005
【図４】
2011047445.tif 000006
【図５】
2011047445.tif 000007
【図６】
2011047445.tif 000008
【図７】
2011047445.tif 000009
【図８】
2011047445.tif 000010
【図９】
2011047445.tif 000011
【図１０】
2011047445.tif 000012
【図１１】
2011047445.tif 000013
【図１２】
2011047445.tif 000014
【図１３】
2011047445.tif 000015
【図１４】
2011047445.tif 000016